(57)【要約】【課題】光を受けてきらきら光り、際立って目立ち、興趣に富むポンポンを提供する。【解決手段】ポンポンPは、光反射糸を含む布テープ１又は毛糸により玉形状又は細長形状に形成されている。【選択図】図１
0003157469.tif 000002
【実用新案登録請求の範囲】
【請求項１】
光反射糸を含む素材により構成されていることを特徴とするポンポン。
【請求項２】
前記光反射糸は、筒状編物内に、再帰反射シートをスリット状に裁断して得られたスリットヤーンを芯糸として貫入させたものであることを特徴とする請求項１記載のポンポン。
【請求項３】
前記素材は、前記光反射糸が組み込まれた繊維製品又は前記光反射糸により形成された糸のいずれかであることを特徴とする請求項１に記載のポンポン。
【請求項４】
形状が、玉形、細長形、又はキャラクタ形のいずれかであることを特徴とする請求項１ないし３のいずれかに記載のポンポン。
【考案の詳細な説明】
【技術分野】
【０００１】
本考案は、光反射機能を有し、光を反射してきらきらと光るポンポンに関するものである。
【背景技術】
【０００２】
ポンポンは、チアガール等によるスポーツ応援やバトントワリング競技等に使用される、通常は玉飾り形状のもので、その構成や製造方法は種々提案されている（例えば特許文献１を参照）。また、毛糸の束ねを使用した細長形状のもの（例えば特許文献２を参照）、さらにはキャラクタ形状のものもある。
【特許文献１】特開２００８−３０８７８３号公報
【特許文献２】特開２００３−１４７６６８号公報
【考案の概要】
【考案が解決しようとする課題】
【０００３】
従来のポンポンは、ポンポン形成用の素材としては、化学繊維を含む布、紐又は毛糸を用いて玉形状、細長形状等の好みの形状に構成したものである。このように、種々の形状のものが提案されているが、形状が変わるだけでは、際立って目立たせることは困難であり、特に夜間での交通事故防止等の機能を持たせることは困難であるという問題があった。
本考案は、上記課題を解決するためになされたもので、光を受けてきらきら光り、際立って目立ち、夜間での交通事故防止等に有効に利用できるポンポンを提供することを目的とする。
【課題を解決するための手段】
【０００４】
上記課題を解決するため、請求項１記載のポンポンは、光反射糸を含む素材により構成されていることを特徴とするものである。
【０００５】
請求項２に記載のポンポンは、前記光反射糸は、筒状編物内に、再帰反射シートをスリット状に裁断して得られたスリットヤーンを芯糸として貫入させたものであることを特徴とするものである。
【０００６】
請求項３に記載のポンポンは、前記素材は、前記光反射糸が組み込まれた繊維製品又は前記光反射糸により形成された糸のいずれかであることを特徴とするものである。
【０００７】
請求項４に記載のポンポンは、形状が、玉形、細長形、又はキャラクタ形のいずれかであることを特徴とするものである。
【考案の効果】
【０００８】
本考案によれば、光反射糸により微弱な光でも反射して、きらきらと光ってよく目立ち、夜間での事故防止に有効であるとともに、光らせるための光源や電源が不要であるため、安価である。
【図面の簡単な説明】
【０００９】
【図１】本考案のポンポンの形成方法の第１実施形態を示す斜視図である。
【図２】本考案のポンポンの形成方法の第２実施形態を示す斜視図である。
【図３】本考案のポンポンの形成方法の第３実施形態を示す斜視図である。
【図４】本考案のポンポンの形成方法の第４実施形態を示す斜視図である。
【図５】本考案のポンポンの使用形態を示す３例である。
【考案を実施するための形態】
【００１０】
以下、本考案の実施形態を図面とともに説明する。
図１は、本考案に係わるポンポンの製造工程の第１実施形態を示す斜視図である。
【００１１】
図１（ａ）に示すように、１は光反射糸を組み込んで光反射機能を持たせた細長い布テープである。テープ１の幅は、形成するポンポンの大きさにより、数ミリメーターから数十ミリメーターまで、任意の幅に形成される。光反射糸としては、メリヤス編みされたナイロン製の筒状編物内に、再帰反射シートをスリット状に裁断して得られたスリットヤーンを芯糸として貫入させた再帰反射（受けた光を反射そのまま光源にはね返す）の機能を持った糸ものが好適に使用される。そのほか、例えば、天然繊維又は化学繊維の糸の中に極小プリズムを連続して形成した反射糸を混在させた撚糸など、光反射機能を有する糸であれば糸の構成は限定されない。このような光反射糸のみ、又は光反射糸と通常の繊維を組み合わせて構成された長い光反射性の布テープ１を用意する。
【００１２】
次に、図１（ｂ）に示すように、布テープ１をリング２の周囲に１００回以上巻きつける。
次に、巻きつけたテープをリング２から外し、中間部分を縛り紐３で結束した後、両端の鎖線４の部分でカットする。
【００１３】
そして、結束した紐３の部分を中心としてテープ１を周囲にばらけさせることにより、図１（ｄ）に示すような玉状のポンポンPが構成される。必要に応じてポンポンにストラップ５を取り付ける。
【００１４】
図２は、本考案に係わるポンポンの製造工程の第２実施形態を示す斜視図である。
光反射糸が織り込まれた所定の長さの布テープ１０を多数枚用意し（ａ）、この布テープ１０を複数枚重ね合わせて中間を縛り紐１１で結束し（ｂ）、布テープの両端を一枚一枚広げいくことにより、玉形状のポンポン（図示せず）が形成される。
【００１５】
図３は、本考案に係わるポンポンの製造工程の第３実施形態を示す斜視図である。
幅方向両端の網紐６の間に、光反射糸からなる渡り糸７を掛け渡した布テープを巻回して糸玉を形成し（ａ）、この糸玉の中間を縛り紐８で縛り（ｂ）、両端の網紐６を切断することにより、ポンポンが構成される（ｃ）。
【００１６】
図４は、本考案に係わるポンポンの製造工程の第４実施形態を示す斜視図である。
本実施形態は光反射糸からなる毛糸束１２を縛り紐９で縛り連結したもので、左右に伸びる細長形状のポンポンの例である。
【００１７】
以上、玉形状のポンポン（図１〜図３）および細長形状のポンポン（図４）の例を示したが、これ以外にも、人形、動物などのキャラクタ形状のものとすることも可能であり、ポンポン形状は限定されない。本考案は、光反射糸を組み込んだ繊維製品、ひも製品又は毛糸を用いるポンポンの形成方法であれば、いかなる方法を用いてもよい。また、大きさも直径１センチメーター程度から１０センチメーター以上の任意の大きさとすることができる。光反射素材は、光反射糸を編み込む、樹脂固定、透明材料で包む等、任意の手段で作成することができ、その色は、シルバー色のほか、任意の色彩のものが使用可能である。
【００１８】
図５は、本考案に係わる玉形状のポンポンの使用形態の３例であって、（ａ）は帽子１３の後部にポンポンPを取り付けた例、（ｂ）は手袋１４にポンポンPを取り付けた例、（ｃ）は携帯電話１５にポンポンPを取り付けた例を示す。本考案のポンポンPは、光反射糸により微弱な光でも反射するため、どこにつけてもきらきらと光ってよく目立つ。特に、揺らすことにより、全方位に反射するため、平面使用の反射材より目立ち、子供の装身具又は自転車等に取り付ければ交通事故防止に効果的であり、また、携帯電話その他の小物に取り付ければ紛失防止に効果的である。
【符号の説明】
【００１９】
１    布テープ（光反射糸入り繊維製品）
１２    毛糸束（光反射糸）
P    ポンポン
【図１】
0003157469.tif 000003
【図２】
0003157469.tif 000004
【図３】
0003157469.tif 000005
【図４】
0003157469.tif 000006
【図５】
0003157469.tif 000007